(57)【要約】【課題】ドライブレコーダにおいて保存している映像ファイルに対して運用サーバ側から上書き禁止を指令し、利便性を向上することができるドライブレコーダ運用システム、ドライブレコーダ、運用方法および運用プログラムを提供する。【解決手段】ドライブレコーダ運用システムは、ドライブレコーダ１と、運用サーバ２とを備える。ドライブレコーダ１は、複数の映像ファイルのそれぞれに対応するインデックス情報を生成し、インデックス情報を運用サーバ２へ送出し、運用サーバ２からの上書き禁止指令に基づいて映像ファイルの上書きを禁止する。運用サーバ２は、インデックス情報を指定する指示を受け付け、指定されたインデックス情報を含む上書き禁止指令をドライブレコーダ１へ送出する。【選択図】図２
2019012466.tif 000002
【特許請求の範囲】
【請求項１】
車両周辺を時間的に連続して撮影し、複数の映像ファイルを生成して記録するドライブレコーダと、前記ドライブレコーダに通信接続される運用サーバと、を備えるドライブレコーダ運用システムにおいて、
前記ドライブレコーダは、複数の前記映像ファイルのそれぞれに対応するインデックス情報を生成し、該インデックス情報を前記運用サーバへ送出し、前記運用サーバからの上書き禁止指令に基づいて前記映像ファイルの上書きを禁止し、
前記運用サーバは、前記インデックス情報を指定する指示を受け付け、指定された前記インデックス情報を含む前記上書き禁止指令を前記ドライブレコーダへ送出することを特徴とするドライブレコーダ運用システム。
【請求項２】
前記インデックス情報は、場所、日付および時刻を含むことを特徴とする請求項１に記載のドライブレコーダ運用システム。
【請求項３】
前記運用サーバは、前記インデックス情報を複数の前記ドライブレコーダから取得し、取得したインデックス情報に基づいて検索処理を実行することを特徴とする請求項１または２に記載のドライブレコーダ運用システム。
【請求項４】
車両周辺を時間的に連続して撮影する撮像部と、
生成された複数の映像ファイルに、対応するインデックス情報を付加して保存する記憶媒体と、
前記インデックス情報を外部装置へ送出するインデックス情報処理部と、
前記外部装置から取得する前記インデックス情報を含む上書き禁止指令に基づいて、前記映像ファイルの上書きを禁止する上書き禁止処理部と、
を備えることを特徴とするドライブレコーダ。
【請求項５】
車両周辺を時間的に連続して撮影する撮像ステップと、
生成された複数の映像ファイルに、対応するインデックス情報を付加して保存する記憶ステップと、
前記インデックス情報を外部装置へ送出するインデックス情報処理ステップと、
前記外部装置から取得する前記インデックス情報を含む上書き禁止指令に基づいて、前記映像ファイルの上書きを禁止する上書き禁止処理ステップと、
を備えることを特徴とする運用方法。
【請求項６】
車両周辺を時間的に連続して撮影する撮像ステップと、
生成された複数の映像ファイルに、対応するインデックス情報を付加して保存する記憶ステップと、
前記インデックス情報を外部装置へ送出するインデックス情報処理ステップと、
前記外部装置から取得する前記インデックス情報を含む上書き禁止指令に基づいて、前記映像ファイルの上書きを禁止する上書き禁止処理ステップと、
をコンピュータに実行させることを特徴とする運用プログラム。
【発明の詳細な説明】
【技術分野】
【０００１】
本発明は、車両に搭載されたドライブレコーダを運用するためのドライブレコーダ運用システム、ドライブレコーダ、運用方法および運用プログラムに関する。
【背景技術】
【０００２】
車両に搭載されたドライブレコーダは、車両の前方等の車両周辺を時間的に連続して撮影し、映像を記録する。ドライブレコーダは、撮影した映像を記憶媒体に保存するが、該記憶媒体の容量には限りがあるため、一定期間に亘って複数の映像ファイルを保存した後、古い映像ファイルから順次上書きして新たな映像を保存する。
【０００３】
特許文献１には、ドライブレコーダと、運用サーバとを備えたドライブレコーダ運用システムが開示されている。ドライブレコーダは、大きな加速度が発生した際の映像ファイルと加速度等とを含む状況ファイルをサーバ装置へ送信する。運用サーバは、送信された映像の上書きを絶対禁止にすべきと判断した場合、ドライブレコーダへ上書き禁止指令を送信する。ドライブレコーダは、上書き禁止指令で指定された映像ファイルの上書きを絶対禁止とする。
【先行技術文献】
【特許文献】
【０００４】
【特許文献１】特開２０１６−２２４６７７号公報
【発明の概要】
【発明が解決しようとする課題】
【０００５】
特許文献１に記載のドライブレコーダ運用システムでは、大きな加速度が生じた場合にドライブレコーダに保存されている映像ファイルに対する上書きが禁止されるが、任意の映像ファイルの上書き禁止をサーバ装置側から指令することができない。
【０００６】
例えば、ドライブレコーダで撮影された映像を鑑賞目的で利用し、あるいは、特定の場所および時刻において発生していた状況を映像で検証する目的で利用するような場合がある。このような場合に対応して、運用サーバ側からドライブレコーダで保存されている任意の映像ファイルを上書き禁止とすることで利便性を高めることができる。
【０００７】
本発明は、斯かる事情に鑑みてなされたものであり、その目的とするところは、ドライブレコーダにおいて保存している映像ファイルに対して運用サーバ側から上書き禁止を指令し、利便性を向上することができるドライブレコーダ運用システム、ドライブレコーダ、運用方法および運用プログラムを提供することにある。
【課題を解決するための手段】
【０００８】
本発明のある態様のドライブレコーダ運用システムは、車両周辺を時間的に連続して撮影し、複数の映像ファイルを生成して記録するドライブレコーダと、前記ドライブレコーダに通信接続される運用サーバと、を備えるドライブレコーダ運用システムにおいて、前記ドライブレコーダは、複数の前記映像ファイルのそれぞれに対応するインデックス情報を生成し、該インデックス情報を前記運用サーバへ送出し、前記運用サーバからの上書き禁止指令に基づいて前記映像ファイルの上書きを禁止し、前記運用サーバは、前記インデックス情報を指定する指示を受け付け、指定された前記インデックス情報を含む前記上書き禁止指令を前記ドライブレコーダへ送出する。
【０００９】
本発明の別の態様はドライブレコーダである。このドライブレコーダは、車両周辺を時間的に連続して撮影する撮像部と、生成された複数の映像ファイルに、対応するインデックス情報を付加して保存する記憶媒体と、前記インデックス情報を外部装置へ送出するインデックス情報処理部と、前記外部装置から取得する前記インデックス情報を含む上書き禁止指令に基づいて、前記映像ファイルの上書きを禁止する上書き禁止処理部と、を備える。
【００１０】
また本発明の別の態様は運用方法である。この運用方法は、車両周辺を時間的に連続して撮影する撮像ステップと、生成された複数の映像ファイルに、対応するインデックス情報を付加して保存する記憶ステップと、前記インデックス情報を外部装置へ送出するインデックス情報処理ステップと、前記外部装置から取得する前記インデックス情報を含む上書き禁止指令に基づいて、前記映像ファイルの上書きを禁止する上書き禁止処理ステップと、を備える。
【発明の効果】
【００１１】
本発明によれば、ドライブレコーダにおいて保存している映像ファイルに対して運用サーバ側から上書き禁止を指令し、利便性を向上することができる。
【図面の簡単な説明】
【００１２】
【図１】実施形態に係るドライブレコーダ運用システムにおける通信接続を説明するための模式図である。
【図２】実施形態に係るドライブレコーダの構成を示すブロック図である。
【図３】実施形態に係る運用サーバおよび端末装置の構成を示すブロック図である。
【図４】記憶媒体への常時録画について説明するための模式図である。
【図５】インデックス情報記憶部に記憶するインデックス情報の例を示す図表である。
【図６】ドライブレコーダにおける上書き禁止処理の手順を示すフローチャートである。
【図７】映像ファイルの上書きが禁止されたときの記憶媒体への常時録画について説明するための模式図である。
【図８】運用サーバおよび端末装置における上書き禁止指令処理の手順を示すフローチャートである。
【発明を実施するための形態】
【００１３】
以下、本発明を好適な実施の形態をもとに図１から図８を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１４】
（実施形態）
図１は、実施形態に係るドライブレコーダ運用システム１００における通信接続を説明するための模式図である。ドライブレコーダ運用システム１００は、ドライブレコーダ１および運用サーバ２を備える。ドライブレコーダ運用システム１００は、ドライブレコーダ１で保存している複数の映像ファイルのうち、ユーザによって上書きを禁止する映像ファイルを指定し、運用サーバ２からの上書き禁止指令によって上書きを禁止する。
【００１５】
ドライブレコーダ１は、車両９０に搭載され、車両９０の前方等の車両９０周辺を時間的に連続して撮影し、映像を記録する。ドライブレコーダ１は、撮影した映像を記憶媒体に保存するが、該記憶媒体の容量には限りがあるため、一定期間に亘って複数の映像ファイルを保存した後、古い映像ファイルから順次上書きして新たな映像を記録する。
【００１６】
ドライブレコーダ１は、通信ネットワーク９１を介して運用サーバ２と通信する。本発明に係るドライブレコーダ１は、保存している映像ファイルの場所、日付および時刻等のインデックス情報を運用サーバ２へ送出し、運用サーバ２から上書き禁止指令を取得して、該当する映像ファイルの上書きを禁止する。運用サーバ２は、インデックス情報を表示し、ユーザによる指示によって上書きを禁止する映像ファイルを選択する環境を提供する。インデックス情報の表示およびユーザによる操作入力は、運用サーバ２の本体で行うようにしてもよいし、通信ネットワーク９１に接続された端末装置３において行うようにしてもよい。
【００１７】
図２は実施形態に係るドライブレコーダ１の構成を示すブロック図であり、図３は実施形態に係る運用サーバ２および端末装置３の構成を示すブロック図である。ドライブレコーダ１は、映像処理部１１、記憶媒体１２、入出力インタフェース１３、計時部１４、通信部１５、制御部１６および記憶部１７等を備える。映像処理部１１、記憶媒体１２、入出力インタフェース１３、計時部１４、通信部１５、制御部１６および記憶部１７等は、データバス１ａによって相互に電気信号の送受ができるように接続されている。
【００１８】
映像処理部１１は、撮像部１１ａにおいて撮影された所定時間分の映像信号について、データ圧縮等の処理を行い、インデックス情報を付加して映像ファイルを生成する。映像処理部１１は、生成した映像ファイルを記憶媒体１２に保存させる。インデックス情報は、場所、日付および時刻のほか、加速度等の車両９０の状態を含む。撮像部１１ａは、例えばＣＣＤ等の検出器を有し、車両９０の前方等の車両９０周辺を撮影する。撮像部１１ａは、時間的に連続して映像を取得し、映像信号を映像処理部１１へ送出する。
【００１９】
記憶媒体１２は、例えばＳＤカードやＵＳＢメモリ等であり、映像処理部１１で生成された映像ファイル保存し、消去することができるものとする。記憶媒体１２は、ドライブレコーダ１に着脱可能とすることで、ドライブレコーダ１から取り外し、別のＰＣ等で映像を再生等することができる。
【００２０】
図４は記憶媒体１２への常時録画について説明するための模式図である。映像処理部１１で生成された映像ファイルは、映像ファイル＃１，＃２，・・・，＃Ｎとして、記憶媒体１２に順次保存される。記憶媒体１２の容量には限りがあるため、一定期間に亘って複数の映像ファイルを保存した後、古い映像ファイル＃１から順に消去して上書きし、新たな映像を記録していく。
【００２１】
入出力インタフェース１３は、加速度情報、および車両９０の位置情報等を外部装置から取得する。尚、ドライブレコーダ１は、加速度を計測するためのセンサーを内蔵していてもよい。計時部１４は、日付および時刻を計測する。入出力インタフェース１３によって取得した加速度および位置情報等、並びに計時部１４によって取得した日付および時刻は、映像ファイルにインデックス情報として付加される。入出力インタフェース１３は、位置情報として、緯度経度情報、地図とのマッチングで取得された地名や住所などを取得する。インデックス情報に含まれる場所の情報は、入出力インタフェース１３から取得される緯度経度情報のほか、地名や住所などであってもよい。尚、地名や住所などの位置情報は、ナビゲーション装置等で取得されており、入出力インタフェース１３に入力されるようにするとよい。また、インデックス情報に含まれる場所の情報は、ドライブレコーダ１にＧＰＳ機能を内蔵して得られる緯度経度情報等であってもよい。
【００２２】
通信部１５は、通信ネットワーク９１との間でＷｉＦｉ（登録商標）等の通信規格に準拠して無線通信し、通信ネットワーク９１を介して運用サーバ２との間で通信する。なお、通信部１５は、接続されたアンテナで無線信号波を送受信し、通信ネットワーク９１との間で無線通信する。また通信部１５は、携帯通信回線網におけるＳＩＭカード（Subscriber Identity Module Card）を搭載している場合には、携帯通信回線を用いて通信するようにしてもよい。
【００２３】
制御部１６は、インデックス情報処理部１６ａおよび上書き禁止処理部１６ｂを有する。制御部１６は、例えばＣＰＵなどによって構成され、コンピュータプログラムに従って動作することによって、上述の各部による処理を実行する。記憶部１７は、ＲＡＭ（Random Access Memory）、フラッシュメモリ、ハードディスク記憶装置等のデータ記憶装置によって構成されており、制御部１６で実行するコンピュータプログラム等を記憶する。
【００２４】
制御部１６において、インデックス情報処理部１６ａは、各映像ファイルに対応するインデックス情報を生成する。インデックス情報処理部１６ａは、映像ファイルに付加されたインデックス情報を識別情報とともに通信部１５から運用サーバ２へ送出する。インデックス情報処理部１６ａが運用サーバ２へインデックス情報を送出するタイミングは、ドライブレコーダ１の電源がオンされた後、映像処理部１１が映像ファイルを記憶媒体１２に保存し、ドライブレコーダ１が電源をオフとする電源オフシーケンス中であればよい。また、インデックス情報処理部１６ａは定期的にインデックス情報を運用サーバ２へ送出するようにしてもよい。識別情報は、ドライブレコーダ１が他の車両に搭載されたドライブレコーダと識別できるものであればよい。
【００２５】
上書き禁止処理部１６ｂは、運用サーバ２からの上書き禁止指令を通信部１５で受信して取得する。上書き禁止処理部１６ｂは、取得した上書き禁止指令に含まれる場所、日付および時刻に関するインデックス情報に基づいて、記憶媒体１２に保存されている映像ファイルに対する上書きを禁止する。映像処理部１１は、上書き禁止が指定された映像ファイルに対しては、消去または上書きをすることができなくなる。
【００２６】
次に図３に基づいて運用サーバ２および端末装置３について説明する。運用サーバ２は、インデックス情報記憶部２１、表示部２２、操作部２３、通信部２４、制御部２５および記憶部２６等を備える。インデックス情報記憶部２１、表示部２２、操作部２３、通信部２４、制御部２５および記憶部２６等は、データバス２ａによって相互に電気信号の送受ができるように接続されている。
【００２７】
インデックス情報記憶部２１は、ドライブレコーダ１から送出されてくるインデックス情報を、通信部２４を介して取得し、ドライブレコーダの識別情報に対応付けて記憶する。図５は、インデックス情報記憶部２１に記憶するインデックス情報の例を示す図表である。インデックス情報記憶部２１は、ドライブレコーダ１において映像ファイルが上書きされることと同様に、ドライブレコーダ１から送出されてくるインデックス情報に基づいて、過去において記憶していたインデックス情報を上書きして記憶する。
【００２８】
表示部２２は、液晶ディスプレイ、有機ＥＬ（Electro Luminescence）ディスプレイ、ＬＥＤ（Light Emitting Diode）ディスプレイ等で構成されている。表示部２２は、制御部２５からの指示に基づいて操作に関する情報等を表示する。操作部２３は、操作キー、十字キー、タッチパネル等のスイッチから構成されており、ユーザによる操作入力を受け付ける。操作部２３で受け付けられた操作入力は、制御部２５によって取得される。インデックス情報に対するユーザの操作入力は、通信ネットワーク９１に接続された端末装置３において、インデックス情報を表示し、受け付けられるが、運用サーバ２の操作部２３から受け付けられるようにしてもよい。尚、操作部２３は、操作入力の他、音声入力等の別手段による入力にも対応していてもよく、ユーザからの指示を受け付けるものであり、ユーザによる操作入力は、ユーザからの指示に相当する。
【００２９】
通信部２４は、無線または有線によって通信ネットワーク９１に通信接続されており、通信ネットワーク９１を介してドライブレコーダ１の通信部１５との間で通信する。
【００３０】
制御部２５は、インデックス情報処理部２５ａ、上書き禁止指令部２５ｂおよび検索処理部２５ｃを有する。制御部２５は、例えばＣＰＵなどによって構成され、コンピュータプログラムに従って動作することによって、上述の各部による処理を実行する。記憶部２６は、ＲＡＭ、フラッシュメモリ、ハードディスク記憶装置等のデータ記憶装置によって構成されており、制御部２５で実行するコンピュータプログラム等を記憶する。
【００３１】
制御部２５において、インデックス情報処理部２５ａは、ドライブレコーダ１から送出されてくるインデックス情報を、通信部２４を介して取得し、ドライブレコーダ１の識別情報に対応付けてインデックス情報記憶部２１に記憶させる。
【００３２】
上書き禁止指令部２５ｂは、上書きを禁止するインデックス情報の指定を、端末装置３でのユーザの操作入力によって取得する。また上書き禁止指令部２５ｂは、表示部２２に表示されたインデックス情報に対して上書きを禁止するインデックス情報の指定を、操作部２３でのユーザの操作入力によって取得することもできる。上書き禁止指令部２５ｂは、指定されたインデックス情報を含む上書き禁止指令を生成し、通信部２４からドライブレコーダ１へ送出する。
【００３３】
検索処理部２５ｃは、インデックス情報記憶部２１に記憶されたインデックス情報に対して、場所、日付および時刻等の検索キーを用いて、該当するインデックス情報を抽出する。検索処理部２５ｃは、検索対象とするドライブレコーダ１の範囲を１つとしてもよいし、複数またはインデックス情報記憶部２１に記憶している全てのドライブレコーダ１としてもよい。検索処理部２５ｃによって抽出されたインデックス情報は、端末装置３で表示され、端末装置３におけるユーザの操作入力によって上書きを禁止するインデックス情報が選択される。また、検索処理部２５ｃによって抽出されたインデックス情報は、表示部２２に表示され、操作部２３でのユーザの操作入力によって上書きを禁止するインデックス情報が選択されるようにしてもよい。上書き禁止指令部２５ｂは、ユーザの操作入力によって選択されたインデックス情報に対応して、上書き禁止指令を生成し、通信部２４から各ドライブレコーダ１へ送出する。
【００３４】
端末装置３は、表示部３１、操作部３２、通信部３３、制御部３４および記憶部３５等を備える。端末装置３は、例えばＰＣ（パーソナルコンピュータ）やスマートホン等の情報処理端末であり、通信ネットワーク９１を介して運用サーバ２に通信接続されるほか、ローカルエリアネットワークにより運用サーバ２に通信接続されるものであってもよい。表示部３１、操作部３２、通信部３３、制御部３４および記憶部３５等は、データバス３ａによって相互に電気信号の送受ができるように接続されている。
【００３５】
表示部３１は、液晶ディスプレイ、有機ＥＬディスプレイ、ＬＥＤディスプレイ等で構成されている。表示部３１は、制御部３４からの指示に基づいて操作に関する情報等を表示する。操作部３２は、操作キー、十字キー、タッチパネル等のスイッチから構成されており、ユーザによる操作入力を受け付ける。操作部３２で受け付けられた操作入力は、制御部２５によって取得される。尚、操作部３２は、操作入力の他、音声入力等の別手段による入力にも対応していてもよく、ユーザからの指示を受け付けるものであり、ユーザによる操作入力は、ユーザからの指示に相当する。
【００３６】
通信部３３は、無線または有線によって通信ネットワーク９１に通信接続されており、通信ネットワーク９１を介して運用サーバ２の通信部２４との間で通信する。通信部３３は、ＷｉＦｉによる通信回線、携帯通信回線等の無線通信を用いてもよい。
【００３７】
制御部３４は、例えばＣＰＵなどによって構成され、コンピュータプログラムに従って動作する。記憶部３５は、ＲＡＭ、フラッシュメモリ、ハードディスク記憶装置等のデータ記憶装置によって構成されており、制御部３４で実行するコンピュータプログラム等を記憶する。
【００３８】
制御部３４は、運用サーバ２に記憶されたドライブレコーダ１のインデックス情報を表示部３１に表示させ、上書きを禁止するインデックス情報を指定するユーザの操作入力を操作部３２から取得する。制御部３４は、取得した上書きを禁止するインデックス情報を通信部３３を介して運用サーバ２へ送出する。
【００３９】
また、制御部３４は、運用サーバ２に記憶されたドライブレコーダ１のインデックス情報に対する検索画面を表示部３１に表示させ、検索キー等のユーザの操作入力を操作部３２から取得する。制御部３４は、取得した検索キーを通信部３３を介して運用サーバ２へ送出し、運用サーバ２で抽出されたインデックス情報を運用サーバ２から取得し、表示部３１に表示させ、上書きを禁止するインデックス情報を指定するユーザの操作入力を操作部３２から取得する。制御部３４は、取得した上書きを禁止するインデックス情報を通信部３３を介して運用サーバ２へ送出する。
【００４０】
次にドライブレコーダ運用システム１００の動作について、ドライブレコーダ１における上書き禁止処理、および運用サーバ２における上書き禁止指令処理に基づいて説明する。図６は、ドライブレコーダ１における上書き禁止処理の手順を示すフローチャートである。ドライブレコーダ１は、撮像部１１ａによって撮影した映像をもとに映像処理部１１で映像ファイルを生成し、インデックス情報を付加して記憶媒体１２に保存する。制御部１６のインデックス情報処理部１６ａは、記憶媒体１２に保存された各映像ファイルのインデックス情報を取得し（Ｓ１）、取得したインデックス情報を通信部１５から運用サーバ２へ送出する（Ｓ２）。
【００４１】
制御部１６の上書き禁止処理部１６ｂは、運用サーバ２から送出される上書き禁止指令を通信部１５で受信することによって取得する（Ｓ３）。上書き禁止処理部１６ｂは、上書き禁止指令に含まれるインデックス情報に基づいて該当する映像ファイルの上書きを禁止する（Ｓ４）。
【００４２】
図７は、映像ファイルの上書きが禁止されたときの記憶媒体１２への常時録画について説明するための模式図である。映像処理部１１は、一定期間に亘って複数の映像ファイルを保存した後、上書きが禁止された映像ファイル（映像ファイル＃２）を飛ばすようにして古い映像ファイルから順次上書きして新たな映像を保存する。上書きが禁止された映像ファイル（映像ファイル＃２）は、消去および上書きされることなく記憶媒体１２に保存されており、ユーザが記憶媒体１２を別のＰＣ等に接続するなどして利用することができる。
【００４３】
図８は、運用サーバ２および端末装置３における上書き禁止指令処理の手順を示すフローチャートである。運用サーバ２における制御部２５のインデックス情報処理部２５ａは、ドライブレコーダ１から送出されたインデックス情報を取得し（Ｓ１１）、インデックス情報記憶部２１に記憶する（Ｓ１２）。端末装置３の制御部３４は、検索処理を実行するか否かをユーザが選択するための画面を表示部３１に表示し、操作部３２におけるユーザの操作入力を取得して検索処理を実行するか否かを判定する（Ｓ１３）。
【００４４】
端末装置３の制御部３４は、ステップＳ１３において検索処理を実行しないと判定した場合（Ｓ１３：ＮＯ）、操作部３２におけるユーザの操作入力に基づいて処理対象とするドライブレコーダ１の識別情報を取得する（Ｓ１４）。制御部３４は、取得した識別情報に対応するインデックス情報を運用サーバ２に問い合わせ、運用サーバ２からインデックス情報記憶部２１に記憶されているインデックス情報を取得し、表示部３１に表示する（Ｓ１５）。制御部３４は、インデックス情報に含まれる場所の情報を地図データに重ね合わせて表示部３１に表示するようにしてもよい。
【００４５】
端末装置３の制御部３４は、ユーザが操作部３２を操作して上書きを禁止するインデックス情報を指定する操作入力を取得する（Ｓ１６）。制御部３４は、上書き禁止が指定されたインデックス情報を通信部３３を介して運用サーバ２へ送出する。運用サーバ２における制御部２５の上書き禁止指令部２５ｂは、端末装置３から送出された、上書き禁止が指定されたインデックス情報を通信部２４を介して取得する。上書き禁止指令部２５ｂは、上書き禁止が指定されたインデックス情報を含む上書き禁止指令を生成し、識別情報に対応するドライブレコーダ１へ上書き禁止指令を送出し（Ｓ１７）、処理を終了する。
【００４６】
端末装置３の制御部３４は、ステップＳ１３において検索処理を実行すると判定した場合（Ｓ１３：ＹＥＳ）、検索キー等を入力するための検索画面を表示部３１に表示し、操作部３２からユーザの操作入力を取得する。制御部３４は、ユーザの操作入力により検索キーを取得し（Ｓ１８）、検索キー等の検索情報を通信部３３を介して運用サーバ２へ送出する。運用サーバ２における制御部２５の検索処理部２５ｃは、通信部２４を介して端末装置３から取得した検索キー等の検索情報に基づいて、インデックス情報記憶部２１に記憶したインデックス情報の検索を実行する（Ｓ１９）。検索キーは、例えば特定の場所または特定の場所を含む範囲や、特定の日付および時刻、さらに特定の日付および時刻を含む範囲等とすればよい。
【００４７】
検索処理部２５ｃは、検索キーに基づいて検索を実行して得られたインデックス情報の抽出結果を端末装置３へ通信部２４を介して送出する。端末装置３の制御部３４は、通信部３３を介して運用サーバ２から取得したインデックス情報を表示部３１に表示し（Ｓ２０）、ステップＳ１６に移行する。制御部３４は、ステップＳ１６により上書きを禁止するインデックス情報を指定する操作入力を取得する。運用サーバ２における制御部２５の上書き禁止指令部２５ｂは、ステップＳ１７により上書き禁止指令を生成してドライブレコーダ１へ上書き禁止指令を送出し、処理を終了する。
【００４８】
ドライブレコーダ運用システム１００は、運用サーバ２において記憶するインデックス情報に基づいて、ユーザが上書きを禁止する映像ファイルを指定することができる。ユーザは、ドライブレコーダ１で撮影された映像を鑑賞目的で利用する場合に、上書きを禁止する映像ファイルを場所や日付、時刻等のインデックス情報に基づいて指定することができるので、ドライブレコーダ１の利便性が向上する。
【００４９】
ドライブレコーダ運用システム１００は、交通事故、事件等が発生したときに警察が運用サーバ２に対し上書き禁止処理を行い、運用サーバ２から送出する上書き禁止指令に基づいてドライブレコーダ１で映像ファイルの上書きを禁止することができ、交通事故、事件等における証拠保持・保全に適用できる。また、タクシー会社やトラック運送会社が、管轄する車両に搭載したドライブレコーダ１の記録をシステム側で上書き禁止とする指示を行う車両管理等に適用することができる。
【００５０】
また、ドライブレコーダ運用システム１００は、複数のドライブレコーダ１から提供されるインデックス情報をもとに、特定の場所、日付および時刻において発生していた状況を映像で検証等する目的にも利用することができる。運用サーバ２は、複数のドライブレコーダ１からのインデックス情報をインデックス情報記憶部２１に記憶している。運用サーバ２は、検索処理部２５ｃによって、特定の場所、日付および時刻、それらの範囲を検索キーとする検索を実行し、複数のドライブレコーダ１のインデックス情報を抽出する。ドライブレコーダ運用システム１００は、抽出されたインデックス情報に対応する映像ファイルの上書きを禁止することで、特定の場所、日付および時刻に対応する映像ファイルを複数のドライブレコーダ１で確保することができ、更に利便性が向上する。
【００５１】
次に、実施形態に係るドライブレコーダ運用システム１００、ドライブレコーダ１、運用方法および運用プログラムの特徴を説明する。
実施形態に係るドライブレコーダ運用システム１００は、車両９０周辺を時間的に連続して撮影し、複数の映像ファイルを生成して記録するドライブレコーダ１と、ドライブレコーダ１に通信接続される運用サーバ２と、を備える。ドライブレコーダ１は、複数の映像ファイルのそれぞれに対応するインデックス情報を生成し、インデックス情報を運用サーバ２へ送出し、運用サーバ２からの上書き禁止指令に基づいて映像ファイルの上書きを禁止する。運用サーバ２は、インデックス情報を指定する指示（操作入力）を受け付け、指定されたインデックス情報を含む上書き禁止指令をドライブレコーダ１へ送出する。これにより、ドライブレコーダ運用システム１００は、運用サーバ２においてインデックス情報に基づいて上書きを禁止する映像ファイルが指定され、ドライブレコーダ１が保存する映像ファイルの上書きを禁止するので、ユーザによる利便性が向上する。
【００５２】
また、インデックス情報が場所、日付および時刻を含むようにすることで、ユーザは、場所、日付および時刻に基づいて、上書きを禁止する映像ファイルを指定できるので、ユーザによる利便性が向上する。
【００５３】
また、運用サーバ２は、インデックス情報を複数のドライブレコーダ１から取得し、取得したインデックス情報に基づいて検索処理を実行する。これにより、ドライブレコーダ運用システム１００は、検索条件に対応する映像ファイルを複数のドライブレコーダ１において確保できるので、更に利便性が向上する。
【００５４】
実施形態に係るドライブレコーダ１は、車両９０周辺を時間的に連続して撮影する撮像部１１ａと、生成された複数の映像ファイルに、対応するインデックス情報を付加して保存する記憶媒体１２とを備える。ドライブレコーダ１は、インデックス情報を外部装置である運用サーバ２へ送出するインデックス情報処理部１６ａと、運用サーバ２から取得するインデックス情報を含む上書き禁止指令に基づいて、映像ファイルの上書きを禁止する上書き禁止処理部１６ｂとを備える。これにより、ドライブレコーダ１は、運用サーバ２において指定される上書き禁止指令によって映像ファイルの上書きを禁止することができるので、ユーザによる利便性が向上する。
【００５５】
また実施形態に係る運用方法は、車両９０周辺を時間的に連続して撮影する撮像ステップと、生成された複数の映像ファイルに、対応するインデックス情報を付加して保存する記憶ステップとを備える。運用方法は、インデックス情報を外部装置である運用サーバ２へ送出するインデックス情報処理ステップと、運用サーバ２から取得するインデックス情報を含む上書き禁止指令に基づいて、映像ファイルの上書きを禁止する上書き禁止処理ステップとを備える。この運用方法によって、運用サーバ２において指定される上書き禁止指令に基づいてドライブレコーダ１に保存された映像ファイルの上書きを禁止することができるので、ユーザによる利便性が向上する。
【００５６】
また実施形態に係る運用プログラムは、車両９０周辺を時間的に連続して撮影する撮像ステップと、生成された複数の映像ファイルに、対応するインデックス情報を付加して保存する記憶ステップとをコンピュータに実行させる。運用プログラムは、インデックス情報を外部装置である運用サーバ２へ送出するインデックス情報処理ステップと、運用サーバ２から取得するインデックス情報を含む上書き禁止指令に基づいて、映像ファイルの上書きを禁止する上書き禁止処理ステップとをコンピュータに実行させる。この運用プログラムによって、運用サーバ２において指定される上書き禁止指令に基づいてドライブレコーダ１に保存された映像ファイルの上書きを禁止することができるので、ユーザによる利便性が向上する。
【００５７】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００５８】
１  ドライブレコーダ、  ２  運用サーバ（外部装置）、  １１ａ  撮像部、
１２  記憶媒体、  １６ａ  インデックス情報処理部、
１６ｂ  上書き禁止処理部、  １００  ドライブレコーダ運用システム。
【図１】
2019012466.tif 000003
【図２】
2019012466.tif 000004
【図３】
2019012466.tif 000005
【図４】
2019012466.tif 000006
【図５】
2019012466.tif 000007
【図６】
2019012466.tif 000008
【図７】
2019012466.tif 000009
【図８】
2019012466.tif 000010